(57)【要約】【課題】  革製品を成形する多層皮革部材の表面側の最外層の強度を低下させることなく、またその表面側最外層に用いる皮革の性質を問わずに、多層皮革部材の周縁部を縫着している糸目線の外部摩擦による擦り切れを防止することができる多層皮革部材を得る。【解決手段】  表裏面側に皮革からなる最外層を有し、周縁部が縫着されて一体の積層体に形成された多層皮革部材１の、表面側最外層２の下面に予め設定された縫着予定ラインＬに沿って押圧による凹溝４を形成し、凹溝４より内側に凹溝４に沿って段部形成床材６を凹溝４の内縁から段部形成床材６の厚さと同等又はそれ以上の長さの間隔を空けて設けた。【選択図】  図２
2019005495.tif 000002
【特許請求の範囲】
【請求項１】
表裏面側に皮革からなる最外層を有し、周縁部が縫着されて一体の積層体に形成された多層皮革部材であって、表面側最外層は、その下面に予め設定された縫着予定ラインに沿って、押圧による凹溝が形成され、前記表面側最外層の下面には、前記凹溝より内側に前記凹溝に沿って段部形成床材が、前記凹溝の内縁から前記段部形成床材の厚さと同等又はそれ以上の長さの間隔を空けて設けられていることを特徴とする多層皮革部材。
【請求項２】
前記表面側最外層は、その下面に前記段部形成床材の外縁に沿って罫書き線が形成されていることを特徴とする請求項１に記載の多層皮革部材。
【請求項３】
前記段部形成床材は、帯状に形成されていることを特徴とする請求項１又は２に記載の多層皮革部材。
【請求項４】
前記段部形成床材は、内縁の厚さが外縁の厚さの１／２以下となるテーパー形状に形成されていることを特徴とする請求項３に記載の多層皮革部材。
【請求項５】
前記段部形成床材は、シート状に形成されていることを特徴とする請求項１又は２に記載の多層皮革部材。
【発明の詳細な説明】
【技術分野】
【０００１】
本発明は、表裏面側に皮革からなる最外層を有し、周縁部が縫着されて一体の積層体に形成された革製品成形用の多層皮革部材に関する。
【背景技術】
【０００２】
従来、財布、カードケース、キーケース、鞄などの革製品の製造にあたり、表裏面側に皮革からなる最外層を有し、周縁部が縫着されて一体の積層体に形成された革製品成形用の多層皮革部材を用いるといったことが行われている。多層皮革部材は複数の皮革を重ね、また必要に応じて中間層を積層して成形することができるため丈夫であり、また保型性にも富むことから革製品の本体など基本的な形状を形成する基材として多く用いられている。例えば、財布の本体として用いたり、鞄の収容部を形成する本体部分の胴部や底部の形成に用いられている。
【０００３】
革製品の基材として用いられた多層皮革部材は、その表面側が革製品の外面となることが多い。そのため、多層皮革部材を縫着している糸目が革製品の外面となる表面側最外層の面上から突出した状態となって現れていると、革製品の使用時に外部との接触により摩擦を受けて擦り切れて、革製品が破損してしまうといったおそれがある。
【０００４】
そこで従来、このような事態を防ぐ手段として、多層皮革部材の表面に設定された縫着予定ラインに沿って、表面側の最外層の上面を切削して凹溝を形成し、糸目をこの凹溝の中に形成することにより、革製品の使用時に糸目が摩擦を受けないようにして糸目が擦り切れることを防ぐといったことが行われている（例えば特許文献１参照。）。また、多層皮革部材の表面に設定された縫着予定ラインに沿って、表面側の最外層の上面を押圧して凹溝を形成し、糸目をこの凹溝の中に形成することにより、革製品の使用時に糸目が摩擦を受けないようにして糸目が擦り切れることを防ぐといったことが行われている（例えば特許文献２参照。）。
【先行技術文献】
【特許文献】
【０００５】
【特許文献１】特開２０１０−５９３４２号公報
【特許文献２】特許第１２０４３３号公報
【発明の概要】
【発明が解決しようとする課題】
【０００６】
多層皮革部材の縫着部分は、縫い穴が連続して形成される部分であり、また縫着により圧力を受ける部分であるので、強度は高い方が望ましい。しかしながら、特許文献１に記載されているような多層皮革部材は、縫着予定ラインでの凹溝の形成を切削により行っているので、表面側最外層の凹溝部分の強度が低下し、経年により縫い穴が広がったり、凹溝部分が伸びたり劣化しやすい。また、縫い穴間が破断するなど破損が生じる場合もあり、その耐用年数が短くなってしまうおそれがあるといった問題がある。
【０００７】
また、特許文献２に記載されているように、押圧によって糸目が最外層の面上から突出しない程度の凹溝を形成するには、使用する皮革に十分な厚さと柔らかさが必要となる。そのため、多層皮革部材の最外層に密度が高く堅牢な皮革を用いた場合などには、十分な深さの凹溝を形成することができないといった問題がある。
【０００８】
本発明の目的は、革製品を成形する多層皮革部材の表面側の最外層の強度を低下させることなく、また、その表面側最外層に用いる皮革の性質に拘わらず、多層皮革部材の周縁部を縫着している糸目の外部摩擦による擦り切れを防止することができる多層皮革部材を提供することにある。
【課題を解決するための手段】
【０００９】
上記目的を達成するため、請求項１に記載の発明は、表裏面側に皮革からなる最外層を有し、周縁部が縫着されて一体の積層体に形成された多層皮革部材であって、表面側最外層は、その下面に予め設定された縫着予定ラインに沿って、押圧による凹溝が形成され、前記表面側最外層の下面には、前記凹溝より内側に前記凹溝に沿って段部形成床材が、前記凹溝の内縁から前記段部形成床材の厚さと同等又はそれ以上の長さの間隔を空けて設けられていることを特徴とする。
【００１０】
請求項２に記載の発明は、請求項１に記載の、前記表面側最外層は、その下面に前記段部形成床材の外縁に沿って罫書き線が形成されていることを特徴とする。
【００１１】
請求項３に記載の発明は、請求項１又は２に記載の、前記段部形成床材は、帯状に形成されていることを特徴とする。
【００１２】
請求項４に記載の発明は、請求項３に記載の、前記段部形成床材は、内縁の厚さが外縁の厚さの１／２以下となるテーパー形状に形成されていることを特徴とする。
【００１３】
請求項５に記載の発明は、請求項１又は２に記載の、前記段部形成床材は、シート状に形成されていることを特徴とする。
【発明の効果】
【００１４】
請求項１に記載の多層皮革部材によれば、前記表面側最外層は、その下面に予め設定された縫着予定ラインに沿って、押圧による前記凹溝が形成されているので、多層皮革部材を縫着予定ラインに沿って縫着すると、前記表面側最外層の下面に形成されている前記凹溝は上下方向からの縫着糸による縫着圧を受けて潰れ、前記表面側最外層の上面が前記凹溝の潰れに応じて陥没し、前記表面側最外層の上面に現れる糸目は多層皮革部材の周端上縁より厚さ方向に沈む。
また、前記表面側最外層の下面には、前記凹溝より内側に前記凹溝に沿って前記段部形成床材が設けられているので、多層皮革部材の周縁部を縫着するとき、前記表面側最外層を前記段部形成床材の外端縁から外端面に沿って屈曲させ、裏面側最外層を屈曲させることなく前記表面側最外層と裏面側最外層を縫着することにより、屈曲した前記表面側最外層によって、多層皮革部材の表面における糸目の内側に沿って糸目を厚さ方向に越えて膨出する膨出段部が形成される。
これにより、前記表面側最外層の上面には膨出段部と多層皮革部材の周端上縁との間に凹部が形成され、糸目はこの凹部の最深部に位置して凹部内に納まり、多層皮革部材の表面から糸目が突出しない状態とすることができる。凹部内に収められ、多層皮革部材の表面から突出しない状態となった糸目は、外部と容易に接触せず、外部との摩擦により擦り切れてしまうといった事態を防ぐことができる。
また、前記表面側最外層の下面に設けられている前記段部形成床材は、前記凹溝の内縁から前記段部形成床材の厚さと同等又はそれ以上の長さの間隔を空けて設けられているので、裏面側最外層を屈曲させることなく、前記表面側最外層を前記段部形成床材の外端縁から外端面に沿って屈曲させて前記表面側最外層の下面に形成されている前記凹溝を裏面側最外層の上面に当接させ、前記表面側最外層と裏面側最外層を前記凹溝に沿って縫着することができる。これにより、多層皮革部材の表面に膨出段部を確実に形成することができる。
そして、上記のように、糸目を収める凹部の形成に特許文献１のような切削を用いず、且つ前記表面側最外層の強度を低下させずに糸目の擦り切れを防止しているので、革製品の耐用年数が短くなることを防ぐことができる。
【００１５】
請求項２に記載の多層皮革部材によれば、請求項１に記載の、前記表面側最外層は、その下面に、前記段部形成床材の外縁に沿って罫書き線が形成されているので、多層皮革部材の周縁部を縫着する際に、前記表面側最外層を罫書き線によって前記段部形成床材の外端縁から容易に且つ確実に屈曲させることができる。また、前記罫書き線が形成されていると、堅牢な皮革が用いられた表面側最外層も確実に屈曲させることができるので、多層皮革部材の周縁部の縫着作業を容易に行うことができる。
【００１６】
請求項３に記載の多層皮革部材によれば、請求項１又は２に記載の、前記段部形成床材は帯状に形成されているので、膨出段部を形成するのに前記段部形成床材を必要箇所に必要な幅で設けることができ、材料の節約をすることができる。
【００１７】
請求項４に記載の多層皮革部材によれば、請求項３に記載の、前記段部形成床材は、内縁の厚さが外縁の厚さの１／２以下となるテーパー形状に形成されているので、帯状に形成された前記段部形成床材の内側で、前記表面側最外層と裏面側最外層との間で生じる段差を小さくすることができ、革製品の表面が浮いたり、前記段部形成床材の内縁にあたる位置の表面に段が現れたりすることを防いで革製品の意匠性を損なうといった事態を防ぐことができる。
【００１８】
請求項５に記載の多層皮革部材によれば、請求項１又は２に記載の、前記段部形成床材は、シート状に形成されているので、前記段部形成床材を設けることによって前記表面側最外層と裏面側最外層との間で段差が生じるといった事態を防ぎ、革製品の表面が浮いたり、表面に段が現れたりすることを防いで、革製品の意匠性を損なうといった事態を防ぐことができる。また、多層皮革部材の一体性が高く、屈曲する部分に使用するのに適した多層皮革部材を得ることができる。
【図面の簡単な説明】
【００１９】
【図１】本発明に係る多層皮革部材の実施の形態の第１例を示す表面側平面図である。
【図２】図１のＡ−Ａ線拡大断面図である。
【図３】図１に示す多層皮革部材の裏面側最外層を除いた縫着前の表面側最外層の下面側を示す一部拡大平面図である。
【図４】図３のＢ−Ｂ線断面図である。
【図５】図１に示す多層皮革部材の縫着前の分解説明図である。
【図６】本発明に係る多層皮革部材の実施の形態の第２例を示す一部拡大断面図である。
【図７】本発明に係る多層皮革部材の実施の形態の第３例を示す一部拡大断面図である。
【図８】図７に示す多層皮革部材の裏面側最外層を除いた縫着前の表面側最外層の下面側を示す一部拡大平面図である。
【図９】図８のＣ−Ｃ線断面図である。
【図１０】本発明に係る多層皮革部材を用いて成形された革製品の一例を示す斜視図である。
【発明を実施するための形態】
【００２０】
以下、本発明に係る多層皮革部材の実施の形態の第１例を図１から図５を参照して詳細に説明する。
図１は本例の多層皮革部材の実施の形態の第１例を示す表面側平面図、図２は図１のＡ−Ａ線拡大断面図、図３は図１に示す多層皮革部材の裏面側最外層を除いた縫着前の表面側最外層の下面側を示す一部拡大平面図、図４は図３のＢ−Ｂ線断面図、図５は図１に示す多層皮革部材の縫着前の分解説明図である。
【００２１】
第１例の多層皮革部材１は、表裏に皮革からなる表面側最外層２と裏面側最外層３とを有し周縁部が縫着されて一体に形成された革製品成形用の多層皮革部材である。多層皮革部材１は財布の本体や鞄の胴部または底部など革製品の基本的な形状を形成する部材であり、表面側最外層２の上面は製造する革製品の外面となる。表面側最外層２と裏面側最外層３に用いる皮革は製造する革製品に応じて選択され、その性質は特に問わない。
【００２２】
革製品の外面側に現れる表面側最外層２にあっては、その下面において、多層皮革部材１を縫着する予定のラインである、縫着予定ライン（図示せず）に沿って、押圧による凹溝４が形成されている（図３、図４参照。）。
第１例では、凹溝４の形成は、まず縫着予定ラインに沿って先端がＶ字型のコテなどを表面側最外層２の下面に押し当てＶ字状の溝を形成し、次に、その形成したＶ字状の溝を先端がＵ字型のヘラなどで押し広げることにより行っている。凹溝４の押圧による形成方法はこれに限られず、他の押圧による形成方法によっても良い。
【００２３】
凹溝４の深さは、後述するところの積層した表面側最外層２と裏面側最外層３の周縁部を縫着したとき、表面側最外層２の上面に現れる糸目５が多層皮革部材１の周端上縁１ａより厚さ方向に沈み膨出段部と多層皮革部材１の周端上縁１ａとで形成される凹部に糸目５を収めることができる深さであれば特に問わないが、糸目５の上部が多層皮革部材１周端上縁１ａと同一面又はそれ以下になる深さであることが好ましい。
【００２４】
また、表面側最外層２の下面には、凹溝４より内側に凹溝４に沿って帯状の段部形成床材６が、凹溝４の内縁から段部形成床材６の厚さと同等又はそれ以上の長さの間隔を空けて設けられている（図３、図４参照。）。
【００２５】
段部形成床材６の素材には、縫着による圧力を上下から受けても一定の厚さ以上の厚さを保持することができる素材を用い、例えば皮革、ウレタンなどを用いる。
ここで、一定の厚さとは、後述するところの、表面側最外層２と裏面側最外層３の周縁部を縫着したときに多層皮革部材１の表面に形成される膨出段部の高さを、膨出段部の頂部と多層皮革部材１の周端上縁との間に形成される凹部内に糸目５が納まり、糸目５が多層皮革部材１の表面から突出しない状態にする高さに形成することができる段部形成床材６の厚さをいう。
また、帯状の段部形成床材６の幅は後述する膨出段部を確実に形成することができる幅であれば特に限定されない。ただし、第１例の段部形成床材６は外縁から内縁にかけて厚さが減衰するテーパー形状に形成して、段部形成床材６の内縁の位置にあたる多層皮革部材１の表面に段部が生じないようにしているので、テーパー面６ａが裏面側最外層３の上面に無理なく当接できる程度に傾斜が緩やかになる幅を有していることが好ましい。
【００２６】
また、表面側最外層２は、その下面に段部形成床材６の外縁に沿って罫書き線９が形成されている。罫書き線９は、後述するところの多層皮革部材１の周縁部を縫着する際に、表面側最外層２を段部形成床材６の外端縁６ｂから外端面６ｃに沿って屈曲させ易くするために形成するものであり、表面側最外層２の強度の低下に影響しない程度に浅く入れている（図３、図４参照。）。
【００２７】
このように構成された多層皮革部材１の表面側最外層２は裏面側最外層３の上面に積層され、周縁部において縫着予定ラインに沿って裏面側最外層３と縫着される。縫着にあたっては、あらかじめ縫着予定ラインに沿って菱目打ちなどを用いて縫い穴を形成する。そして形成された縫い穴に縫糸を通して表面側最外層２と裏面側最外層３とを縫着し、多層皮革部材１を一体化する。このとき、表面側最外層２の周縁部を段部形成床材６の外端縁６ｂから外端面６ｃに沿って屈曲させて、縫着を行う（図２参照）。このとき、裏面側最外層３が段部形成床材６に沿って屈曲しないことを要する。
【００２８】
このように縫着を行うと、表面側最外層２の下面に縫着予定ラインに沿って形成された凹溝４は縫着糸による上下方向からの縫着圧を受けて潰れ、表面側最外層２の上面が凹溝４の潰れに応じて陥没し、表面側最外層の上面に現れる糸目は多層皮革部材の周端上縁より厚さ方向に沈む。
【００２９】
また、表面側最外層２を段部形成床材６の外端縁６ｂから外端面６ｃに沿って屈曲させ、裏面側最外層３を屈曲させることなく表面側最外層２と裏面側最外層３を縫着することにより、多層皮革部材１の表面に糸目５の内側に沿って、糸目５を厚さ方向に越えて膨出する膨出段部７が形成される。
【００３０】
このように、表面側最外層２の上面を陥没させ、膨出段部７を形成することにより、表面側最外層２の上面には膨出段部７と多層皮革部材１の周端上縁１ａとの間に凹部８が形成される。糸目５はこの凹部８の最深部に位置して凹部８内に収まり、多層皮革部材１の表面から糸目５が突出しない状態となる。
【００３１】
以上のように構成された第１例の多層皮革部材１によれば、凹部８内に糸目５を収めて、多層皮革部材１の表面から糸目５が突出しない状態にあるので、糸目５は、外部と容易に接触せず、外部との摩擦により擦り切れてしまうといった事態を防ぐことができる。
【００３２】
また、表面側最外層２の下面には、段部形成床材６が凹溝４より内側に凹溝４に沿って、凹溝４の内縁から段部形成床材６の厚さと同等又はそれ以上の長さの間隔を空けて設けられているので、表面側最外層２の段部形成床材６の外端縁６ｂに当接している位置から、縫着予定ラインまでの幅が段部形成床材の外端面６ｃの幅と同等かそれ以上の長さとなり、裏面側最外層３を屈曲させることなく、表面側最外層２を段部形成床材６の外端縁６ｂから外端面６ｃに沿って屈曲させて縫着することができる。
【００３３】
そして、段部形成床材６の外縁に沿って罫書き線９が形成されているので、表面側最外層２を段部形成床材６に沿って屈曲することが容易になる。
【００３４】
更に、段部形成床材６は帯状に形成しているので材料を節約することができる。
【００３５】
また、段部形成床材６は外縁から内縁にかけて厚さが減衰するテーパー形状に形成しているので、段部形成床材の内側で、表面側最外層と裏面側最外層との間で生じる段差を小さくすることができ、革製品の表面に浮きや段差が現れて意匠性が損なわれるといった事態を防ぐことができる
【００３６】
図６は、本発明に係る多層皮革部材の実施の形態の第２例を示す一部拡大断面図である。
第２例の多層皮革部材について、第１例と同一の構成については同一の符号を付してその説明を省略し、第１例と異なる構成についてのみ説明する。
【００３７】
第２例では、多層皮革部材１は、表面側最外層２と裏面側最外層３の間に芯材となる中間層１０が積層されている。
また、本例の表面側最外層２の下面には、第１例と同様に、テーパー形状に形成された帯状の段部形成床材６が設けられている。
中間層１０は、段部形成床材６のテーパー面６ａに対応するテーパー面１０ａをその周縁部に有しており、テーパー面１０ａをテーパー面６ａに重ねるようにして積層されている。
その他の構成は第１例と同様なので、第１例を援用し、その説明を省略する。
【００３８】
このように構成された本例の多層皮革部材１によれば、段部形成床材６の内縁側で表面側最外層２と裏面側最外層３の間に段差が生じることを確実に防ぎ、革製品の表面に浮きや段差が現れて意匠性が損なわれる事態を防ぐことができる。また、革製品に応じた芯材を積層することができ、多様な革製品に対応する多層皮革部材１を得ることができる。
その他の作用効果は第１例と同様なので、第１例を援用し、その説明を省略する。
【００３９】
図７〜図９は本発明に係る多層皮革部材の実施の形態の第３例を示すものであり、図７は本例の一部拡大断面図、図８は図７に示す多層皮革部材の裏面側最外層を除いた縫着前の表面側最外層の下面側を示す一部拡大平面図、図９は図８のＣ−Ｃ線断面図である。
第３例の多層皮革部材について、第１例と同一の構成については同一の符号を付してその説明を省略し、第１例と異なる構成についてのみ説明する。
【００４０】
第３例では、多層皮革部材１は、表面側最外層２と裏面側最外層３の間にシート状の段部形成床材１１が積層されている。
段部形成床材１１は、表面側最外層２の下面において、その周縁が凹溝４の内縁に沿うように、凹溝４の内縁から段部形成床材１１の厚さと同等又はそれ以上の長さの間隔を周囲に空けた位置に積層されている。
その他の構成は第１例と同様なので、第１例を援用し、その説明を省略する。
【００４１】
このように構成された本例の多層皮革部材１によれば、段部形成床材１１はシート状であるため多層皮革部材１の表面に浮きや段差が現れて意匠性が損なわれるといった事態を防ぐことができる。また段部形成床材１１は多層皮革部材１の芯材となるので、容易に芯材が積層された多層皮革部材１を得ることができる。
その他の作用効果は第１例と同様なので、第１例を援用し、その説明を省略する。
【００４２】
ここから、本発明に係る多層皮革部材の使用の形態について、本発明に係る多層皮革部材を用いて成形された財布を一例として説明する。図１０は本発明に係る多層皮革部材を用いて成形された革製品の一例となる財布を示す斜視図である。
【００４３】
財布１２は本発明に係る多層皮革部材１を、本体を形成する基材として用いて成形された長財布である。財布１２は、多層皮革部材１の表面側を外面とし、裏面側をポケットなどの収容部を設ける内面としている。財布１２は図１０に示すように、周縁部が逢着され糸目５が形成されている。この糸目５は、財布１２の表面の糸目５の内側に沿って糸目５を厚さ方向に越えて膨出するように形成された膨出段部７と、多層皮革部材１の周端上縁１ａである財布１２の表面の周端との間に形成された凹部８の最深部に形成されている。このことにより、財布１２をポケットや鞄などからの出し入れの際に、糸目５と外部とが容易に接触せず、摩擦により擦り切れるといった事態を防止することができる。
また、糸目５の擦り切れ防止のために、皮革の強度を低下させるような構成を必要としないので、財布１２の縫着部分が伸びたり破れたりすることなく、長期に使用することを可能することができる。
【符号の説明】
【００４４】
１  多層皮革部材
１ａ  周端上縁
２  表面側最外層
３  裏面側最外層
４  凹溝
５  糸目
６  段部形成床材
６ａ  テーパー面
６ｂ  外端縁
６ｃ  外端面
７  膨出段部
８  凹部
９  罫書き線
１０  中間層
１０ａ  テーパー面
１１  段部形成床材
１２  財布
【図１】
2019005495.tif 000003
【図２】
2019005495.tif 000004
【図３】
2019005495.tif 000005
【図４】
2019005495.tif 000006
【図５】
2019005495.tif 000007
【図６】
2019005495.tif 000008
【図７】
2019005495.tif 000009
【図８】
2019005495.tif 000010
【図９】
2019005495.tif 000011
【図１０】
2019005495.tif 000012